(57)【要約】【課題】ブラシローラの寿命を延ばすことが可能な画像形成装置を提供する。【解決手段】被清掃体１に当接して連れ回り方向に線速差をもって回転することで被清掃体表面を清掃するブラシローラ２を備えた画像形成装置において、ブラシローラ２は、被清掃体１に対し連れ回り方向に線速差をもって回転するほか、停止する第１の態様、同方向に回転する第２の態様の内の１つが選択可能である。【選択図】        図３
2005003706.tif 000002
【特許請求の範囲】
【請求項１】
被清掃体に当接して連れ回り方向に線速差をもって回転することで被清掃体表面を清掃するブラシローラを備えた画像形成装置において、ブラシローラは、被清掃体に対し連れ回り方向に線速差をもって回転するほか、停止する第１の態様、同方向に回転する第２の態様の内の１つが選択可能であることを特徴とする画像形成装置。
【請求項２】
ブラシローラの使用量に応じ、ブラシローラは第１の態様を選択することを特徴とする請求項１記載の画像形成装置。
【請求項３】
ブラシローラの使用量に応じ、ブラシローラは第２の態様を選択することを特徴とする請求項１記載の画像形成装置。
【請求項４】
被清掃体およびブラシローラに加えて、画像形成処理に係る装置の少なくとも１つの部材が選択的に被清掃体およびブラシローラとともに１つのカートリッジに装備されていることを特徴とする請求項１記載の画像形成装置。
【発明の詳細な説明】
【０００１】
【発明の属する技術分野】
本発明は、被清掃体に当接して連れ回り方向に線速差をもって回転することで被清掃体表面を清掃するブラシローラを備えた、複写機、ファクシミリ、プリンタ等の画像形成装置に関するものである。
【０００２】
【従来の技術】
被清掃体を清掃するクリーニング装置は従来より各種の技術分野における機械、装置に広く採用されている。例えば、複写機、プリンタ、ファクシミリなどとして構成される画像形成装置においては、像担持体の表面を清掃するクリーニング装置や、像担持体を帯電する帯電ローラの周面を清掃するクリーニング装置、あるいは転写ベルトの表面を清掃するクリーニング装置などがそれぞれ用いられている。
【０００３】
このようなクリーニング装置として、被清掃体に当接して連れ回り方向に線速差をもって回転することで被清掃体表面を清掃するブラシローラを備えたクリーニング装置が広く利用されている（例えば、特許文献１参照）。
【０００４】
また、類似の技術として、紙成分、トナー添加物、コロナ生成物等の感光体付着物を効率良く除去することができる像担持体付着物除去装置を提供する特許文献２の「像担持体付着物除去装置」、電子写真装置の感光体に残留したトナーと紙粉をファーブラシで効率よくクリーニングすることを目的としている特許文献３の「電子写真装置のファーブラシクリーニング装置」、感光体の表面における局部的な傷の発生を抑制する特許文献４の「クリーニング装置」が知られている。
【０００５】
【特許文献１】
特開平７−１４０７６３号公報
【特許文献２】
特開平５−６１３９５号公報
【特許文献３】
特開平６−９５５７０号公報
【特許文献４】
特許第３０２８３４５号公報
【０００６】
【発明が解決しようとする課題】
上述したように従来のブラシローラは、被清掃体に当接して連れ回り方向に線速差をもって回転するようになっているので、ブラシ繊維が変形し、寿命が短くなる欠点がある。
【０００７】
本発明は、ブラシローラの寿命を延ばすことが可能な画像形成装置を提供することを目的とする。
【０００８】
【課題を解決するための手段】
上記目的を達成するために、請求項１記載の発明は、被清掃体に当接して連れ回り方向に線速差をもって回転することで被清掃体表面を清掃するブラシローラを備えた画像形成装置において、ブラシローラは、被清掃体に対し連れ回り方向に線速差をもって回転するほか、停止する第１の態様、同方向に回転する第２の態様の内の１つが選択可能である画像形成装置を最も主要な特徴とする。
【０００９】
請求項２記載の発明は、ブラシローラの使用量に応じ、ブラシローラは第１の態様を選択する請求項１記載の画像形成装置を主要な特徴とする。
【００１０】
請求項３記載の発明は、ブラシローラの使用量に応じ、ブラシローラは第２の態様を選択する請求項１記載の画像形成装置を主要な特徴とする。
【００１１】
請求項４記載の発明は、被清掃体およびブラシローラに加えて、画像形成処理に係る装置の少なくとも１つの部材が選択的に被清掃体およびブラシローラとともに１つのカートリッジに装備されている請求項１記載の画像形成装置を主要な特徴とする。
【００１２】
【発明の実施の形態】
以下、本発明の実施の形態を図面に従って説明する。
図１はブラシローラが連れ回りするときの第１の動作例を示す図である。被清掃体１の回転数より小さい回転数でブラシローラ２が、被清掃体１に連れ回りする。
【００１３】
図２はブラシローラが連れ回りするときの第２の動作例を示す図である。被清掃体１の回転数より大きい回転数でブラシローラ２が、被清掃体１に連れ回りする。
【００１４】
以上が従来より知られたブラシローラ２の動作であるが、本発明では、ブラシローラ２は、被清掃体１に対し連れ回り方向に線速差をもって回転するほか、停止する第１の態様、同方向に回転する第２の態様の内の１つが選択可能である。
【００１５】
図３はブラシローラが停止する第１の態様を示す図である。ブラシローラ２の使用量に応じ、ブラシローラ２は第１の態様を選択する。
【００１６】
図４はブラシローラが被清掃体と同方向に回転する第２の態様を示す図である。ブラシローラ２の使用量に応じ、ブラシローラ２は第２の態様を選択する。
【００１７】
ブラシローラ２を常に連れ回り方向に回転させると、ブラシ繊維が変形し、寿命が短くなる欠点があるが、本発明では、ブラシローラ２の使用量に応じて、ブラシローラ２を停止させたり、被清掃体１と同方向に回転させる（この場合、両者の接点では、互いに逆方向に移動する）ので、ブラシローラ２による被清掃体１の清掃効果を維持しつつ、ブラシ繊維の変形を抑えて、寿命を延ばすことができる。
【００１８】
また本発明では、被清掃体およびブラシローラに加えて、画像形成処理に係る装置の少なくとも１つの部材が選択的に被清掃体およびブラシローラとともに１つのカートリッジに装備されるようにして、ユーザーの利便性を高めている。
【００１９】
【発明の効果】
以上説明したように本発明によれば、ブラシローラの使用量に応じて、ブラシローラを停止させたり、被清掃体と同方向に回転させるので、ブラシローラによる被清掃体の清掃効果を維持しつつ、ブラシ繊維の変形を抑えて寿命を延ばすことができる。
【図面の簡単な説明】
【図１】ブラシローラが連れ回りするときの第１の動作例を示す図である。
【図２】ブラシローラが連れ回りするときの第２の動作例を示す図である。
【図３】ブラシローラが停止する第１の態様を示す図である。
【図４】ブラシローラが被清掃体と同方向に回転する第２の態様を示す図である。
【符号の説明】
１  被清掃体
２  ブラシローラ
【図１】
2005003706.tif 000003
【図２】
2005003706.tif 000004
【図３】
2005003706.tif 000005
【図４】
2005003706.tif 000006
【図５】
2005003706.tif 000007
【手続補正書】
【提出日】平成15年7月11日(2003.7.11)
【手続補正１】
【補正対象書類名】明細書
【補正対象項目名】図面の簡単な説明
【補正方法】変更
【補正の内容】
【図面の簡単な説明】
【図１】ブラシローラが連れ回りするときの第１の動作例を示す図である。
【図２】ブラシローラが連れ回りするときの第２の動作例を示す図である。
【図３】ブラシローラが停止する第１の態様を示す図である。
【図４】ブラシローラが被清掃体と同方向に回転する第１の態様を示す図である。
【図５】ブラシローラが被清掃体と同方向に回転する第２の態様を示す図である。
【符号の説明】
１  被清掃体
２  ブラシローラ